(57)【要約】【課題】  基準墨を利用した後の断熱材の復旧、断熱材の吹付時の厚みの管理が容易にできる断熱材の吹付方法を提供することである。【解決手段】  断熱材の吹付方法は、断熱材８の吹付面１に書き入れた基準墨３の上に、鞘体４と、この鞘体４に出入自在に差し込んだ保護体５とからなる養生体２を張り付け、該養生体２の高さを基準に断熱材８を吹き付けた後に、保護体５を鞘体４から引き抜いて、該鞘体４内に見える基準墨３の一部を利用するものである。【選択図】図１
2005299220.tif 000002
【特許請求の範囲】
【請求項１】
断熱材の吹付面に書き入れた基準墨の上に、鞘体と、該鞘体に出入自在に差し込んだ保護体とからなる養生体を張り付け、該養生体の高さを基準に断熱材を吹き付けた後に、保護体を鞘体から引き抜いて、該鞘体内に見える基準墨の一部を利用することを特徴とする断熱材の吹付方法。
【請求項２】
断熱材の吹付面に書き入れた基準墨の上に、該基準墨の一部を上面に書き入れた養生体を張り付け、該養生体の高さを基準に断熱材を吹き付けた後に、養生体に書き入れた基準墨の一部を利用することを特徴とする断熱材の吹付方法。
【請求項３】
断熱材の吹付面に書き入れた基準墨の上に、該基準墨の一部が目視可能な目視孔を設けた養生体を張り付け、該養生体の高さを基準に断熱材を吹き付けた後に、前記の目視孔から見える基準墨の一部を利用することを特徴とする断熱材の吹付方法。
【請求項４】
養生体は、着色されていることを特徴とする請求項１〜３のいずれかに記載の断熱材の吹付方法。
【発明の詳細な説明】
【技術分野】
【０００１】
本発明は断熱材の吹付方法に関するものである。
【背景技術】
【０００２】
建築工事において基準墨が書き込まれた柱面または壁面１３にウレタン樹脂などの断熱材を吹き付ける方法は、図４に示すように、基準墨１４が断熱材１５で隠れないように、吹き付け前にガムテープ１６などで養生をする。そして、断熱材１５の吹き付け後に、この断熱材１５とガムテープ１６とを剥がして、基準墨１４を表して利用する。また、その他の断熱材の吹付方法としては、例えば特開平１１−２００５２４号の発明が知られている。
【特許文献１】特開平１１−２００５２４号公報
【発明の開示】
【発明が解決しようとする課題】
【０００３】
しかし、上記の断熱材の吹付方法は、基準墨の利用のために剥がしたガムテープと断熱材とがゴミになるとともに、断熱材が剥がされた箇所が復旧されずに断面欠損となっていた。またこの欠損部を復旧する場合は、手間が掛かるばかりでなく、膨らみすぎのウレタンを削る作業やゴミも発生するという問題があった。またウレタン吹付時の厚みの管理は吹付後におこなっていたため、再度ウレタンを削る作業が発生する場合もあった。
【０００４】
本発明は、上記のような問題に鑑みてなされたものであり、その目的は、基準墨を利用した後の断熱材の復旧と、断熱材の吹付時の厚みの管理とが容易にできる断熱材の吹付方法を提供することである。
【課題を解決するための手段】
【０００５】
以上の課題を解決するための断熱材の吹付方法は、断熱材の吹付面に書き入れた基準墨の上に、鞘体と、該鞘体に出入自在に差し込んだ保護体とからなる養生体を張り付け、該養生体の高さを基準に断熱材を吹き付けた後に、保護体を鞘体から引き抜いて、該鞘体内に見える基準墨の一部を利用することを特徴とする。
また他の断熱材の吹付方法は、断熱材の吹付面に書き入れた基準墨の上に、該基準墨の一部を上面に書き入れた養生体を張り付け、該養生体の高さを基準に断熱材を吹き付けた後に、養生体に書き入れた基準墨の一部を利用することを特徴とする。
また他の断熱材の吹付方法は、断熱材の吹付面に書き入れた基準墨の上に、該基準墨の一部が目視可能な目視孔を設けた養生体を張り付け、該養生体の高さを基準に断熱材を吹き付けた後に、前記の目視孔から見える基準墨の一部を利用することを特徴とする。また養生体は、着色されていることを含むものである。
【発明の効果】
【０００６】
保護体を鞘体から引き抜くことで基準墨の利用が簡単にできるとともに、保護体を鞘体に差し込むことで断熱材の欠損箇所の復旧ができる。また養生体の高さを基準に断熱材を吹き付けるため、吹き付け厚さの管理も簡単にできる。また養生体に書き入れた基準墨の一部の利用、および目視孔から見える基準墨の一部の利用により、断熱材の断面欠損の発生を防ぐことができる。また着色された養生体により、異なる厚さの吹付部を簡単に見分けることができる。
【発明を実施するための最良の形態】
【０００７】
以下、本発明の断熱材の吹付方法（以下吹付方法という）の実施の形態を図面に基づいて説明する。また各実施の形態において、同じ構成は同じ符号を付して説明し、異なった構成にのみ異なった符号を付して説明する。この断熱材の吹き付けは、基準墨が書き込まれた柱面または壁面にウレタン樹脂を吹き付けるものである。
【０００８】
図１は、第１の実施の形態の吹付方法を示したものである。はじめに、（１）に示すように、コンクリート壁面１に養生体２を基準墨３の一部を覆うようにして張り付ける。この養生体２は、（２）に示すように、鞘体４と、これに出入自在に差し込まれた保護体５とから構成され、鞘体４の下部には固定プレート６が突設され、保護体５の上面には摘み用フック７が設けられている。このように保護体５を鞘体４に差し込んだ養生体２を、固定プレート６の接着剤または接着テープで接着させた後、残りのコンクリート壁面１にウレタン樹脂を養生体２の高さを基準に吹き付けて断熱材８を形成すると、これと養生体２とが一体になる。よって、養生体２がウレタン吹き付けの厚みの管理と、吹き付け時における定規になる。
【０００９】
次に、同図の（３）に示すように、摘み用フック７に指を引っ掛けて保護体５を鞘体４から引き抜くと、鞘体４内に基準墨３の一部が見えるようになる。そして、この基準墨３の一部を利用して各種の寸法を確認した後、保護体５を再び鞘体４内に差し込むと、この欠損部が復旧できるので、断熱性能を高めることができる。
【００１０】
図２は、第２の実施の形態の吹付方法を示したものである。これは上面に基準墨９の一部を書き込んだ養生体１０を使用したものであり、この基準墨９の一部をコンクリート壁面１に書き込まれた基準墨３の一部に合わせて、養生体２を接着した後、ウレタン樹脂を吹き付けて断熱材８を形成するものである。このことにより基準墨３の一部が断熱材８の上面に浮き出た状態になるため、養生体１０を撤去せずに基準墨９の利用ができるようになる。したがって、断熱材８の断面欠損を発生させず、その復旧措置も不必要になるため、手間が省けるとともに、断熱効果を高めることもできる。
【００１１】
図３は、第３の実施の形態の吹付方法を示したものである。これは基準墨３の一部が目視可能な目視孔１１を設けた養生体１２を使用したものであり、この目視孔１１をコンクリート壁面１の基準墨３の一部に合わせて、養生体２を接着した後、ウレタン樹脂を吹き付けて断熱材８を形成するものである。このことにより基準墨３の一部を目視孔１１から見ることができるため、養生体１２を撤去せずに基準墨３の利用ができる。したがって、断熱材８の断面欠損を発生させず、その復旧措置も不必要になるため、手間が省けるとともに、断熱効果を高めることもできる。
【００１２】
なお、第１〜３の実施の形態における養生体２、１０、１２を有彩色で色分けすると、吹付部位によりウレタン吹き付けの厚みが異なっても容易に判別することができるようになる。
【図面の簡単な説明】
【００１３】
【図１】第１の実施の形態の吹付方法を示したものであり、（１）は養生体を接着して断熱材を吹き付けた断面図、（２）は養生体の斜視図、（３）は保護体を鞘体から引き抜いた断面図である。
【図２】第２の実施の形態の吹付方法の断面図である。
【図３】第３の実施の形態の吹付方法の断面図である。
【図４】（１）および（２）は従来の吹付方法の断面図である。
【符号の説明】
【００１４】
１、１３  コンクリート壁面
２、１０、１２  養生体
３、９、１４  基準墨
４  鞘体
５  保護体
６  固定プレート
７  摘み用フック
８、１５  断熱材
１１  目視孔
１６  ガムテープ
【図１】
2005299220.tif 000003
【図２】
2005299220.tif 000004
【図３】
2005299220.tif 000005
【図４】
2005299220.tif 000006